(57)【要約】      （修正有）【課題】素振りのスイング練習時にスイングの効果を確認できるスイング運動練習器具を提供する。【解決手段】スイング運動時に打撃するスポーツを練習するためのスイング運動練習器具であって、略円柱形状で、スイング運動時に利用者が保持するグリップ部材１０と、細長い平板形状であって、グリップ部材の一端に固定され、スイング運動時に打撃する表面を備える打撃部材２０とを有し、グリップ部材は、ネジ部材１１で打撃部材を固定し、打撃部材は、スイング運動時に細長い平板形状の長手方向の垂直方向に弾性変形する。【選択図】図１
2017140259.tif 000002
【特許請求の範囲】
【請求項１】
スイング運動時に打撃するスポーツを練習するためのスイング運動練習器具であって、
略円柱形状で、スイング運動時に利用者が保持するグリップ部材と、
細長い平板形状であって、前記グリップ部材の一端に固定され、スイング運動時に打撃する表面を備える打撃部材と
を有し、
前記グリップ部材は、ネジ部材で前記打撃部材を固定し、
前記打撃部材は、スイング運動時に前記細長い平板形状の長手方向の垂直方向に弾性変形する、
ことを特徴とするスイング運動練習器具。
【請求項２】
前記打撃部材は、竹材である、ことを特徴とする請求項１に記載のスイング運動練習器具。
【発明の詳細な説明】
【技術分野】
【０００１】
本発明は、野球用バットの素振り、ゴルフの素振りやテニスラケットの素振りのスイング運動時にスイングの効果を確認できるスイング運動練習器具に関する。
【背景技術】
【０００２】
特許文献１では、素振り練習中にその効果を確認するために、ヘッド部に、遠心力測定器を固定して成り、当該遠心力測定器に、遠心力をヘッドスピードに換算して示す表示部を設けた野球用素振りバットに関する技術を開示している。特許文献２では、野球のバットスイングの練習をするために、伸縮ゴムをバットの先端に取り付け、そのゴムを練習器具本体に固定してスイング矯正を目的として、練習器具本体に伸縮ゴムを固定し、そのゴムをバットの先端又は肘サポーターに装着し、バットスイング及びピッチングの練習を行うと、背中から胸（前方）にゴムが巻きつき、体全体とバット及び肘が一体となり、理想的なスイング及びピッチングの軌道を可能とする練習器具に関する技術を開示している。特許文献３では、使用者が正確なゴルフクラブのグリップの仕方及び正確な手首の反しを習得することができ、さらに、使用者が様々な長さのゴルフクラブを使用する際のそれぞれにおける正確な足のスタンスの位置を学ぶことができるゴルフスイング練習具について、細長の溝及び正確なグリップの位置を示す握り部が設けられたシャフトからなり、使用者が当該シャフトをスイングする際、前記溝に空気が流入し、スイング中の手首の反しが正確にできた場合には、溝に流入していた空気が流出することにより音が発生するようにしたゴルフスイング練習具に関する技術を開示している。特許文献４では、野球スイング練習器具のグリップ部は木によって構成されているので、バットと同様の感覚でスイングを行うことができ、弾性変形部が塩化ビニール製なので、バットより軽量で多くの回数のスイングを行うことができ、長時間の反復練習が可能である野球スイング練習器具に関する技術を開示している。
【先行技術文献】
【特許文献】
【０００３】
【特許文献１】特開２００３−７８４号公報
【特許文献２】特開２０１０−２８４４６４号公報
【特許文献３】特開２００４−３１３７７６号公報
【特許文献４】登録実用新案公報第３１９５３４５号公報
【発明の概要】
【発明が解決しようとする課題】
【０００４】
しかしながら、特許文献１に開示されている技術では、スピードを測定する器具を取り付けるため重くしてしまい、反復練習時に練習者の負担が増加する場合がある。特許文献２に開示されている技術では、スイングの位置で負荷が異なる場合があり、実戦に則した練習を行うことができない場合がある。特許文献３及び特許文献４には、実際のバットやゴルフクラブと重さや重心が異なり、実戦に則した練習を行うことができない場合がある。また、特許文献４には、素振りのスイング運動時にスイングの効果を確認できない場合がある。
【０００５】
本発明は、素振りのスイング練習時に、スイングの効果を容易に確認できるスイング運動練習器具を提供することを目的とする。また、本発明は、理想的なスイングフォームをつくるために反復練習することができる軽量で簡易な構造のスイング運動練習器具を提供することを目的とする。
【課題を解決するための手段】
【０００６】
上記課題を解決するために、本発明の一つの実施形態は、スイング運動時に打撃するスポーツを練習するためのスイング運動練習器具であって、略円柱形状で、スイング運動時に利用者が保持するグリップ部材と、細長い平板形状であって、前記グリップ部材の一端に固定され、スイング運動時に打撃する表面を備える打撃部材とを有し、前記グリップ部材は、ネジ部材で前記打撃部材を固定し、前記打撃部材は、スイング運動時に前記細長い平板形状の長手方向の垂直方向に弾性変形する、ことを特徴とするスイング運動練習器具を提供する。また、本発明の他の実施形態は、前記打撃部材は、竹材である、ことを特徴とするスイング運動練習器具であってもよい。
【発明の効果】
【０００７】
本発明に係るスイング運動練習器具によれば、素振りのスイング運動時にスイングの効果を容易に確認できる。また、本発明に係るスイング運動練習器具によれば、理想的なスイングフォームをつくるために反復練習することができる軽量で簡易な構造のスイング運動練習器具を提供することができる。
【図面の簡単な説明】
【０００８】
【図１】本発明の実施形態に係るスイング運動練習器具の一例を示す平面図である。
【図２】本発明の実施形態に係るスイング運動練習器具の一例を説明する正面断面図である。
【図３】本発明の実施形態に係るスイング運動練習器具の一例を示す左側面図である。
【図４】本発明の実施形態に係るスイング運動練習器具の一例を示す右側面図である。
【図５】本発明の実施例に係るスイング運動練習器具の一例を説明する説明図である。
【発明を実施するための形態】
【０００９】
実施形態および実施例に係るスイング運動練習器具の例を用いて、本発明を説明する。なお、本発明は、以後に説明するスイング運動練習器具以外でも、細長い平板形状の器具でスイング練習時にスイングで長手方向の垂直方向に弾性変形させるもの（器具、道具、部材、装置、機械、部品、など）であれば、いずれのものにも用いることができる。なお、スイング運動の練習対象は、特に限定されるものではない。スイング運動の練習対象は、野球用バットの素振り、ゴルフの素振りやテニスラケットの素振りなどであってもよい。
【００１０】
下記に、本発明に係るスイング運動練習器具の各構成を説明する。
【００１１】
図１乃至図４を用いて、本発明の実施形態に係るスイング運動練習器具の構成を説明する。ここで、図１は、本発明の実施形態に係るスイング運動練習器具の一例を示す平面図である。図２は、本発明の実施形態に係るスイング運動練習器具の一例を説明する正面断面図である。図３は、本発明の実施形態に係るスイング運動練習器具の一例を示す左側面図である。図４は、本発明の実施形態に係るスイング運動練習器具の一例を示す右側面図である。なお、図１等に示すスイング運動練習器具の構成等は一例であり、本発明は図１等に示すスイング運動練習器具等に限定されるものではない。
【００１２】
図１乃至図４に示すように、スイング運動練習器具１００は、スイング運動時に打撃するスポーツを練習するための練習器具である。スイング運動練習器具１００は、スイング運動時に利用者が保持するグリップ部材１０と、スイング運動時に打撃する表面を備える打撃部材２０とを有する。打撃部材２０は、図２に示すように、ネジ部材１１を用いて、グリップ部材１０の一端に固定される。
【００１３】
グリップ部材１０は、スイング運動時に利用者が保持するものである。グリップ部材１０は、図１、図３および図４に示すように、略円柱形状である。グリップ部材１０は、図２に示すように、打撃部材２０の一端を挿入されて、ネジ部材１１を用いて打撃部材２０を固定する。なお、グリップ部材１０の部材は、特に限定されない。グリップ部材１０の部材は、例えば木材、合成樹脂その他所望の強度を有する軽量の部材を用いることができる。
【００１４】
打撃部材２０は、図１および図２に示すように、スイング運動時に打撃する表面を備えるものである。打撃部材２０は、図１および図２に示すように、細長い平板形状である。打撃部材２０は、グリップ部材１０の一端に固定される。
【００１５】
打撃部材２０は、スイング運動時に細長い平板形状の長手方向の垂直方向に弾性変形する。これにより、本発明に係るスイング運動練習器具１００は、スイング運動時に、打撃部材２０の垂直方向の弾性変形に応じた音（空気を切り裂く音）を発生させることができる。また、本発明に係るスイング運動練習器具１００によれば、スイング運動練習時に、練習者の意図する最適なポイントでの音を練習者が確認することができる。このため、練習者は、スイング運動のインパクト時に１００％の力を伝えるための練習に、本発明に係るスイング運動練習器具１００を利用することができる。また、練習者は、スイング運動の練習に、合理的なスイングフォームに応じた音を発生させるために、本発明に係るスイング運動練習器具１００を利用することができる。
【００１６】
打撃部材２０の部材は、特に限定されないが、例えば一方向（平板形状の長手方向の垂直方向）に撓り易い竹材を用いることができる。これにより、本発明に係るスイング運動練習器具１００によれば、竹の特性を用いてスイング矯正や練習に利用することができる。また、本発明に係るスイング運動練習器具１００によれば、竹材を利用することができるので、竹材の特性（しなり、ねじり、柔軟性など）からスイング時の体の使い方を適正に定めるように、竹材のしなりやねじりにより発生する空気を切り裂く音を利用することができる。
【００１７】
以上のとおり、本発明の実施形態に係るスイング運動練習器具１００によれば、素振り（野球用バットの素振り、ゴルフの素振りやテニスラケットの素振りなど）のスイング練習時に、スイングの効果を容易に確認できる。また、本発明の実施形態に係るスイング運動練習器具１００によれば、理想的なスイングフォームをつくるために反復練習することができる軽量で簡易な構造のスイング運動練習器具を提供することができる。
【実施例】
【００１８】
図５を用いて、本発明の実施例に係るスイング運動練習器具の構成を説明する。ここで、図５は、本発明の実施例に係るスイング運動練習器具の一例を示す概略構成図である。なお、図５に示すスイング運動練習器具の構成等は一例であり、本発明は図５に示すスイング運動練習器具等に限定されるものではない。
【００１９】
図５に示すように、本実施例に係るスイング運動練習器具１００Ａは、スイング運動時に打撃するスポーツを練習するための練習器具である。スイング運動練習器具１００Ａは、例えば全体の長さは１０３０ｍｍとしてもよい。
【００２０】
スイング運動練習器具１００Ａでは、グリップ部材１０は例えば１５０〜２５０ｍｍとしてもよい。スイング運動練習器具１００Ａでは、グリップ部材１０は円柱状で例えば直径２５〜３０ｍｍとしてもよい。スイング運動練習器具１００Ａでは、ネジ部材は木ネジ  （１５ｍｍの皿木ネジ）としてもよい。
【００２１】
スイング運動練習器具１００Ａでは、打撃部材２０（竹材）はグリップ部材１０の上端より例えば８３０〜８５０ｍｍとしてもよい。スイング運動練習器具１００Ａでは、打撃部材２０は長さ１０００ｍｍ、幅２５〜３０ｍｍ、厚さ２〜５ｍｍとしてもよい。
【００２２】
以上のとおり、本発明の実施例に係るスイング運動練習器具１００Ａによれば、前述の実施形態に係るスイング運動練習器具１００と同様の効果を得ることができる。また、本発明の実施例に係るスイング運動練習器具１００Ａによれば、簡易な構造であるため、安価で容易に製造することができる。
【００２３】
以上のとおり、本発明に係る実施形態および実施例について説明したが、本発明は上記の実施形態および実施例に限定されるものではない。すなわち、本発明は、特許請求の範囲に記載の内容に基づいて、様々に変形、変更又はその他任意に改変され得る。
【符号の説明】
【００２４】
１００，１００Ａ  ：  スイング運動練習器具
１０  ：  グリップ部材
１１  ：  ネジ部材
２０  ：  打撃部材
【図１】
2017140259.tif 000003
【図２】
2017140259.tif 000004
【図３】
2017140259.tif 000005
【図４】
2017140259.tif 000006
【図５】
2017140259.tif 000007